(57)【特許請求の範囲】
【請求項１】
リール本体にスプール軸を介して支持されるスプールと、
前記スプールの内側に収容され、制動部材を有するドラグ機構と、
前記スプール軸に螺合され、前記制動部材を押圧するドラグノブと、を備えた魚釣用スピニングリールであって、
前記ドラグノブは、
前記制動部材を押圧する押圧部と、
前記押圧部に取り付けられる操作部本体と、
前記操作部本体と別体に設けられ、前記操作部本体に取り付けられるツマミ部と、を備え、
前記ツマミ部は、
前記操作部本体の前面に配置され、前記操作部本体の径方向に延びる指掛け部と、
前記指掛け部の両端部に一体に形成され、前記操作部本体の前面側から前記操作部本体の外周縁部に沿って前記操作部本体の前面側に露出するように取り付けられるリング状部と、を備え、
前記指掛け部の両端部には、前記操作部本体に固定される固定部が設けられており、
前記リング状部には、前記操作部本体の外周縁部に向けて突出する突部が設けられているとともに、前記突部に対向する前記操作部本体の外周縁部には、前記突部が係合する係合部が設けられていることを特徴とする魚釣用スピニングリール。
【請求項２】
前記係合部に隣接している前記操作部本体の外周縁部には、前記リング状部の径方向の弾性変形を許容する周縁凹部が形成されていることを特徴とする請求項１に記載の魚釣用スピニングリール。
【請求項３】
前記操作部本体の外周縁部と前記リング状部の内周縁部とが、前記操作部本体の前面側から組み合わされるインロー構造とされており、
前記突部は、前記操作部本体の外周縁部を前側から後側へ乗り越えて後側から前記係合部に係合することを特徴とする請求項１または請求項２に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、スプール軸を介してリール本体にスプールを支持させ、リール本体に支持したハンドルを通じてリール本体内の巻き取り駆動機構を駆動することによって、スプールに釣糸を巻回する構成とされている。
【０００３】
スプール軸には、ドラグ機構をなす制動部材が嵌合されており、その前方となるスプール軸の先端部には、ドラグノブが回動可能に取り付けられている。ドラグノブを回動操作すると、ドラグノブの回動方向に対応して制動部材に対する押圧力が加減され、これによりドラグ制動力が調整されるように構成されている（特許文献１参照）。
【０００４】
従来、ドラグノブの構造として特許文献１に開示されたものが知られている。特許文献１のドラグノブは、円盤状の操作部本体と、操作部本体に取り付けられ制動部材に当接する押圧部と、を備えている。操作部本体には操作用のツマミ部が一体に形成されている。操作部本体の内側には、スプール軸の先端部に螺合されるナット部材が支持されている。ナット部材と押圧部との間には、制動部材に対する押圧力を発生させるスプリングが縮設されている。操作部本体と押圧部とは連結部を介して連結されている。
【０００５】
また、ドラグノブの指掛け部を操作部本体と別体に設けたものも知られている（例えば、特許文献２参照）。
特許文献２のドラグノブでは、合成樹脂製の操作部本体と、操作部本体の前面に固定された金属製の円板状のカバー部と、カバー部の前面に固定された金属製の指掛け部と、を備えている。
特許文献２によれば、指掛け部が別体であるので、指掛け部が操作部本体に一体に形成されたものに比べてツマミ部の形状、材質、表面処理等の仕様変更を行ってドラグノブの意匠性を高めることができる。
【０００６】
また、ドラグノブの意匠上の変化を求めるために、ツマミ部を合成樹脂製の指掛け部とリング状部とから構成したものも知られている（例えば、特許文献３参照）。
ツマミ部は、ねじにより操作部本体に固定される。リング状部は、操作部本体の外周縁部に配置される。
【先行技術文献】
【特許文献】
【０００７】
【特許文献１】特開２００１−２７５５３３号公報
【特許文献２】特開２００９−１４８１７３号公報
【特許文献３】特開２００８−１２５４０９号公報
【発明の概要】
【発明が解決しようとする課題】
【０００８】
特許文献２のドラグノブでは、円板状のカバー部に指掛け部が取り付けられる構造であり、カバー部と指掛け部との境界部分がドラグノブの外周縁部に露出している。このため、境界部分に釣糸が引っ掛かる可能性があり、魚釣操作性が損なわれるおそれがあった。
【０００９】
この点、特許文献３のドラグノブでは、ツマミ部が合成樹脂であり、指掛け部とリング状部とが一体に形成されているので、特許文献２のような境界部分がドラグノブの外周縁部に露出することがない。
しかしながら、特許文献３のドラグノブでは、成形時の反り等によってリング状部が操作部本体の外周縁部から浮く可能性があり、そのような場合には意匠性が損なわれてしまう。このような反りの発生を防止するためには、成形精度を高める必要があり、製品コストが上昇する要因となっている。
【００１０】
本発明は、前記課題を解決するためになされたものであり、操作部本体の外周縁部に沿うリング状部が設けられたドラグノブを有する魚釣用スピニングリールにおいて、リング状部を操作部本体の外周縁部に保持することができ、意匠性を高めることができる魚釣用スピニングリールを提供することを目的とする。
【課題を解決するための手段】
【００１１】
前記目的を達成するために本発明の魚釣用スピニングリールは、リール本体にスプール軸を介して支持されるスプールと、前記スプールの内側に収容され、制動部材を有するドラグ機構と、前記スプール軸に螺合され、前記制動部材を押圧するドラグノブと、を備えた魚釣用スピニングリールであって、前記ドラグノブは、前記制動部材を押圧する押圧部と、前記押圧部に取り付けられる操作部本体と、前記操作部本体と別体に設けられ、前記操作部本体に取り付けられるツマミ部と、を備え、前記ツマミ部は、前記操作部本体の前面に配置され、前記操作部本体の径方向に延びる指掛け部と、前記指掛け部の両端部に一体に形成され、前記操作部本体の前面側から前記操作部本体の外周縁部に沿って前記操作部本体の前面側に露出するように取り付けられるリング状部と、を備え、前記指掛け部の両端部には、前記操作部本体に固定される固定部が設けられており、前記リング状部には、前記操作部本体の外周縁部に向けて突出する突部が設けられているとともに、前記突部に対向する前記操作部本体の外周縁部には、前記突部が係合する係合部が設けられていることを特徴とする。
【００１２】
この魚釣用スピニングリールでは、簡素な構成でツマミ部を操作部本体に組み付けることができる。例えば、組付時においては、操作部本体の前面側からツマミ部を近づけて、指掛け部の固定部を操作部本体に固定し、リング状部の突部を操作部本体の外周縁部の係合部に係合させるだけで、操作部本体にツマミ部を組み付けることができる。したがって、ドラグノブの組立作業性に優れる。
そして、突部が係合部に引っ掛かるので、操作部本体の外周縁部に沿う状態にリング状部を位置決めすることができる。
【００１３】
また、前記係合部に隣接している前記操作部本体の外周縁部とこれに対向している前記リング状部の内周縁部との間に、周縁凹部が形成されているのがよい。この場合には、リング状部を弾性変形可能に構成することで、組付時に、突部に隣接している部分を周縁凹部を利用して弾性変形させることができる。したがって、係合部に突部を容易に係合させることができる。
【００１４】
また、操作部本体の外周縁部とリング状部の内周縁部とが、操作部本体の前面側から組み合わされるインロー構造とされ、突部が、操作部本体の外周縁部を前側から後側へ乗り越えて後側から係合部に係合するのがよい。インロー構造とすることで、ツマミ部を操作部本体に容易かつ確実に位置決めして組み付けることができる。また、突部は、操作部本体の外周縁部を前側から後側へ乗り越えて後側から係合部に係合するので、係合後は突部がリング状部の前方への移動を防止するストッパとして機能することとなる。これにより、操作部本体に対するリング状部の浮き上がりを好適に防止することができる。
【発明の効果】
【００１５】
本発明によれば、指掛け部の固定部を操作部本体に固定し、リング状部の突部を操作部本体の周縁部の係合部に係合させるだけで、操作部本体にツマミ部を組み付けることができるので、ドラグノブの組立作業性に優れる魚釣用スピニングリールが得られる。
また、突部を係合部に係合させることで操作部本体の外周縁部に沿う状態にリング状部を位置決め保持することができるので、操作部本体の外周縁部からリング状部が浮き上がるのを防止でき、意匠性を高めることができる。
また、リング状部の断面が比較的細い形状である場合にも、突部を係合部に係合させることによって、操作部本体の周縁部に沿う状態にリング状部を位置決め保持することが可能となる。したがって意匠性をより高めることができる。また、操作部本体の外周縁部とリング状部の内周縁部との間に釣糸が挟み込まれる等の不具合が生じることも未然に防止できる。
【００１６】
また、操作部本体の外周縁部とリング状部の内周縁部との間に形成される周縁凹部を利用して、係合部に突部を容易に係合させることができるので、ドラグノブの組立作業性に優れる。
【００１７】
また、操作部本体の外周縁部とリング状部の内周縁部とがインロー構造とされていることにより、ツマミ部を操作部本体に容易かつ確実に位置決めして組み付けることができるので、ドラグノブの組立作業性に優れる。
また、係合後は、突部がリング状部の前方への移動を防止するストッパとして機能し、操作部本体に対するリング状部の浮き上がりを好適に防止することができるので、意匠性を高めることができる。
【図面の簡単な説明】
【００１８】
【図１】本発明の一実施形態に係る魚釣用スピニングリールの全体構成を示す図である。
【図２】スプールおよびドラグノブの構造を示す拡大断面図である。
【図３】スプールから取り外したドラグノブの分解斜視図である。
【図４】ドラグノブを示す図であり、（ａ）は前面図、（ｂ）は側面図、（ｃ）は後面図、（ｄ）は下面図である。
【図５】ドラグノブを示す図であり、（ａ）は図４（ａ）のＡ−Ａ線断面図、（ｂ）は図４（ａ）のＢ−Ｂ線断面図、（ｃ）は突部と係合部との係合を示す拡大断面図である。
【図６】（ａ）は図４（ａ）のＢ−Ｂ線に沿う断面図、（ｂ）は図４（ａ）のＣ−Ｃ線断面図、（ｃ）は周縁凹部を示す部分拡大前面図である。
【図７】操作部本体を示す図であり、（ａ）は前面図、（ｂ）は側面図、（ｃ）は後面図、（ｄ）は下面図である。
【図８】ツマミ部を示す図であり、（ａ）は前面図、（ｂ）は側面図、（ｃ）は後面図、（ｄ）は下面図、（ｅ）は図８（ａ）のＥ−Ｅ断面図である。
【図９】（ａ）〜（ｆ）は作用説明図であり、（ａ）（ｃ）（ｅ）は断面図、（ｂ）は（ａ）に対応する前面図、（ｄ）は（ｃ）に対応する前面図、（ｆ）は（ｅ）に対応する前面図である。
【図１０】ツマミ部の組付状態を示す図であり、（ａ）はリング状部が操作部本体の外周縁部から浮いている状態を示す斜視図、（ｂ）リング状部が操作部本体の外周縁部に沿って位置決め保持された状態を示す斜視図である。
【発明を実施するための形態】
【００１９】
以下、本発明に係る魚釣用スピニングリールの実施形態について図面を参照して説明する。各実施形態において、同一の部分には同一の符号を付し、重複する説明は省略する。なお、以下の説明において、「前後」「上下」を言うときは、図１に示した方向を基準とし、「左右」を言うときは、図３に示す方向を基準とする。
【００２０】
図１に示すように、主として、魚釣用スピニングリールは、図示しない釣竿に装着するための脚部１Ａが形成されたリール本体１（例えば、金属材料で形成される）と、リール本体１の前方に回転可能に設けられたロータ４と、このロータ４の回転運動と同期して前後方向移動可能に設けられたスプール５とを有して構成される。
【００２１】
リール本体１には、図示しない軸受を介してハンドル軸２が回転可能に支持されている。ハンドル軸２の図示しない突出端部には、巻き取り操作されるハンドル７が取り付けられている。ハンドル軸２には、図示しない軸筒が回り止め固定されている。この軸筒には、ロータ４を巻き取り駆動するための内歯が形成されたドライブギヤ６が一体的に形成されている。このドライブギヤ６は、ハンドル軸２と直交する方向に延出するとともに内部に軸方向に延出する空洞部を有する駆動軸筒８のピニオンギヤ８ａに噛合している。
【００２２】
駆動軸筒８は、図示しない軸受を介してリール本体１に回転可能に支持されている。また、駆動軸筒８はスプール５側に向けて延出しており、その先端部にロータ４が取り付けられている。
【００２３】
ロータ４の内側において、駆動軸筒８の周囲には、図示しない一方向クラッチが取り付けられている。一方向クラッチは、ハンドル７（ロータ４）の釣糸放出方向への逆回転を防止する公知の逆転防止機構（ストッパ）を構成している。一方向クラッチは、リール本体１の下部に設けられた切換部材１ａに連動しており、切換部材１ａを回動操作することで、一方向クラッチが作動状態と非作動状態とに切り換えられるように構成されている。この場合、切換部材１ａを作動状態に切り換えることで、ハンドル７（ロータ４）の逆転方向の回転（釣糸放出方向の回転）が防止される。
【００２４】
駆動軸筒８の空洞部には、摺動可能なクリアランスを有してスプール軸９が挿通支持されている。スプール軸９の後端には、スプール５（スプール軸９）を前後往復動させるための公知のスプール往復動装置３が係合している。
【００２５】
このような構成を有する魚釣用スピニングリールにおいて、ハンドル７により巻き取り操作を行うと、ロータ４が巻き取り駆動機構を介して回転駆動するとともに、スプール５がスプール往復動装置３を介して前後往復動する。これにより、釣糸は、ロータ４の釣糸案内部４ａを介してスプール５の巻回胴部５ａに均等に巻回される。
【００２６】
スプール５は、図２に示すように、釣糸が巻回される巻回胴部５ａと、前方鍔部５ｂと、後方円筒部（スカート部とも称される）５ｃと、を備えており、円筒形状を呈している。巻回胴部５ａの内側には、スプール軸９に向けて張り出す筒状の支持部５２が一体に形成されている。巻回胴部５ａの内側において、支持部５２の前方には、ドラグ機構５３を構成する各種部材が配置されている。前方鍔部５ｂの内側には、ドラグノブ１０の操作部本体２０を収容するスペースが形成されている。
【００２７】
スプール５は、保持部材５１を介してスプール軸９に取り付けられている。スプール軸９は保持部材５１が外嵌される大径部９ａと、大径部９ａの先端側に連続する小径部９ｂと、を備えている。小径部９ｂには雄ねじが形成されている。この雄ねじには、ドラグノブ１０のナット部材１４が螺合している。小径部９ｂの前端には、小径部９ｂよりもさらに小径とされた円柱状の先端部９ｃが連続して形成されている。
【００２８】
保持部材５１は、大径部９ａに挿通された係止ピン５１ｃによりスプール軸９の大径部９ａに回り止め固定されている。保持部材５１は、筒状を呈しており、筒部５１ａと、筒部５１ａの後端に連続するフランジ部５１ｂと、を備えている。
【００２９】
筒部５１ａの外周面は、直線部と曲線部とを有する断面略小判形状（不図示）に形成されている。筒部５１ａは、ドラグ機構５３を構成している固定制動板５３ａと、回転制動板５３ｂと、ライニング材５３ｃと、ラチェットリング５４と、ドラグノブ１０の押圧部１１の底部１１ａと、に嵌挿されている。固定制動板５３ａ、回転制動板５３ｂ、ライニング材５３ｃおよびラチェットリング５４は、特許請求の範囲における「制動部材」に相当する。
【００３０】
筒部５１ａの後部の外周面には、前後２つの軸受５１ｄが装着されている。前側の軸受５１ｄは、係止ピン５１ｃの軸方向延長上に位置している。２つの軸受５１ｄは、スプール５の支持部５２の内側に位置して支持部５２を支持している。スプール５は、２つの軸受５１ｄを介して保持部材５１の軸周りに回転自在に支持される。
【００３１】
フランジ部５１ｂには、クリック爪ばね５１ｆを支持する環状壁部５１ｅが取り付けられている。クリック爪ばね５１ｆの端部は、スプール５の内面に形成された歯部５２ｆに係合している。
【００３２】
ドラグ機構５３の固定制動板５３ａは、保持部材５１の非円形の外周（断面小判形状）に対して周り止め嵌合されている。回転制動板５３ｂは、外周部がスプール５の内面の所定位置に回り止め嵌合されている。固定制動板５３ａおよび回転制動板５３ｂはそれぞれ２枚以上設けてもよい。固定制動板５３ａおよび回転制動板５３ｂの摩擦係合面には、計３枚のライニング材５３ｃが配置されている。
【００３３】
ラチェットリング５４は、クリック機構を構成している。ラチェットリング５４は、皿状を呈しており、挟持部５４ａと環状壁部５４ｂとを一体的に備えている。挟持部５４ａは、ドラグノブ１０の押圧部１１の底部１１ａと前側のライニング材５３ｃとの間に配設される。
環状壁部５４ｂは、挟持部５４ａの縁部から前方へ向けて延在し、ドラグノブ１０の押圧部１１の周壁部１１ｂの外側に配設される。環状壁部５４ｂの内周面には、クリック係合子１３の突出部が係合する多数の凹凸歯５４ｃ（図３参照）が並設されている。このため、クリック係合子１３の突出部に対して相対的に凹凸歯５４ｃの係合位置が移動する際にクリック音が発生する。ラチェットリング５４の前方には、抜け止め部材５５が係止されている。
【００３４】
ドラグノブ１０は、スプール軸９の小径部９ｂの先端部に螺合されて取り付けられている。ドラグノブ１０は、ラチェットリング５４、固定制動板５３ａおよび回転制動板５３ｂを押圧する押圧部１１と、押圧部１１の押圧力を調整するための操作部本体２０と、操作部本体２０に取り付けられるツマミ部３０と、操作部本体２０に収容されるナット部材１４と、圧縮コイルばね１５と、を備えている。押圧部１１、操作部本体２０およびツマミ部３０は、樹脂材料、例えばＡＢＳによって形成されている。また、ナット部材１４および圧縮コイルばね１５は、金属材料によって形成されている。
【００３５】
押圧部１１は、図３に示すように、有底円筒状を呈しており、底部１１ａと、底部１１ａに連続して前方に延出する周壁部１１ｂとを備えている。押圧部１１の内側には、図２に示すように、圧縮コイルばね１５およびクリック係合子１３が収容されている。底部１１ａの後面は、図２に示すように、ラチェットリング５４の挟持部５４ａの前面に当接している。底部１１ａには、図３に示すように、底孔１１ｃが形成されている。底孔１１ｃには、スプール軸９の小径部９ｂおよび保持部材５１の筒部５１ａの先端部が挿通される。底部１１ａは、圧縮コイルばね１５の付勢力によってラチェットリング５４、固定制動板５３ａおよび回転制動板５３ｂを押圧している。
【００３６】
周壁部１１ｂには、図３に示すように、挿通孔１２ａ，１２ｂが形成されている。挿通孔１２ａには、クリック係合子１３の先端部１３ａが挿通されて保持される。挿通孔１２ｂには、クリック係合子１３の後端部１３ｂが挿通されて係止される。これらの挿通孔１２ａ，１２ｂには、掛止孔１２ｃ，１２ｃが連続して形成されている。掛止孔１２ｃ，１２ｃには、操作部本体２０に形成されたフック部２３，２３（図２、図７（ｂ）（ｄ）参照）が掛止される。
【００３７】
操作部本体２０は、押圧部１１の前部に取り付けられる部材であり、図７（ａ）〜（ｄ）に示すように、円板状の基部２１と、図７（ｂ）〜（ｄ）に示すように、基部２１の後面に一体に形成された筒状部２２と、を備えている。
基部２１には、図４各図、図５（ａ）（ｂ）に示すように、ツマミ部３０が取り付けられる。基部２１の径方向の中央部には、図７（ａ）（ｂ）（ｄ）に示すように、前方へ向けて突出する有底筒状の支持部２６が一体に形成されている（図５（ａ）（ｂ）参照）。支持部２６は、図７（ｂ）（ｄ）に示すように、先端部へ向かうに従って外径がテーパー状に縮径している。
【００３８】
支持部２６の先端部には、図５（ｂ）、図７（ｂ）に示すように、径方向に延在する溝部２６ａが形成されている。溝部２６ａは、図５（ａ）に示すように、ツマミ部３０の指掛け部３１の中央部３１ａ、および中央部３１ａに連続するツマミ部３０のアーチ状部３１ｈの端部を支持している。
【００３９】
支持部２６の内側には、図５（ａ）（ｂ）に示すように、後方に開口する挿入穴２０ａが形成されている。挿入穴２０ａには、図２に示すように、スプール軸９の先端部９ｃが挿入されている。挿入穴２０ａの縁部は、図７（ｃ）に示すように、放射状リブ２１ｆで補強されている。
【００４０】
図７（ａ）に示すように、基部２１の前面の周縁部分、および周縁部分に連続して支持部２６を挟んだ径方向両側部分には、基部２１の前面よりも後方へ一段凹んだ装着面２１ｅが形成されている（図５（ａ）（ｂ）、図７（ｂ）（ｄ）参照）。装着面２１ｅには、ツマミ部３０の対向する部分が当接する（図５（ａ）（ｂ）参照）。支持部２６を挟んだ径方向両側の装着面２１ｅ，２１ｅには、固定孔２１ａ，２１ａが形成されている。固定孔２１ａは、基部２１を軸方向に貫通して基部２１の後面側に開口している（図７（ｃ）参照）。
【００４１】
基部２１の上下の外周面において、上下の外面２０ｃは、図７（ａ）（ｃ）に示すように、これに連続する左右の外面２０ｂよりも幾分小径に形成されている。つまり、上下の外面２０ｃは、左右の外面２０ｂよりも径方向内側にオフセットしている。上下の外面２０ｃには、図５（ｂ）（ｃ）、図７（ｄ）に示すように、係合部２５が凹設されている。係合部２５は、図５（ｃ）に示すように、断面を形成する第一面２５ａおよび第二面２５ｂを備えている。第一面２５ａは、径方向に延在しており、第二面２５ｂは、第一面２５ａに連続して軸方向に延在している。第一面２５ａと第二面２５ｂとは直角に形成されている。係合部２５には、ツマミ部３０の突部３５が係合している。
なお、基部２１の後面の周縁部には、図２に示すように、ゴム製のシール部材２９が取り付けられている。
【００４２】
押圧部本体２０の筒状部２２は、図２に示すように、押圧部１１の内側に挿入されて押圧部１１に連結される部位である。筒状部２２は、図７（ｂ）（ｃ）に示すように、スリット２２ｈ，２２ｈを境にして上下半割状に分割されており、その各外周面には、フック部２３，２３が形成されている。フック部２３，２３は、押圧部１１の掛止孔１２ｃ，１２ｃに対応して設けられており、掛止孔１２ｃ，１２ｃに掛止されている。この掛止によって押圧部１１に押圧部本体２０が連結されている。
【００４３】
筒状部２２の内面２２ａは、図４（ｃ）、図７（ｃ）に示すように、後面視で正六角形の非円形に形成されている。筒状部２２には、後面に開口する複数の肉抜き部２２ｃが形成されている。
筒状部２２のスリット２２ｈ，２２ｈには、固定孔２１ａ，２１ａが開口している。固定孔２１ａの開口縁２２ｋは面取りされている。また、スリット２２ｈの両縁部には、スリット２２ｈに沿うリブ２２ｊが形成されている（図４（ｂ）、図７（ｂ）（ｄ）参照）。リブ２２ｊには、押圧部１１の周壁部１１ｂの前端部に形成された係合凹部１２ｅ（図３参照）の縁部が係合するようになっており、リブ２２ｊは、押圧部１１に筒状部２２を取り付ける際の位置決め部材として機能している。
【００４４】
ナット部材１４は、図２に示すように、筒状部２２の内側に軸方向摺動可能に収容されている。ナット部材１４は、図３に示すように、板状部１４ａと、板状部１４ａの後面から後方に延出する雌ねじ部１４ｃとを備えている。板状部１４ａの外形は、筒状部２２の内面２２ａに回り止め係止される正六角形状とされている。雌ねじ部１４ｃは、図２に示すように、スプール軸９の小径部９ｂに螺合されている。雌ねじ穴は、板状部１４ａを貫通している。板状部１４ａの後面１４ｂと押圧部１１の底部１１ａの前面１１ｄとの間には、圧縮コイルばね１５が介設されている。
【００４５】
ツマミ部３０は、図８各図に示すように、指掛け部３１と、指掛け部３１に一体に形成されたリング状部３２と、を備えている。指掛け部３１は、中央部３１ａを中心として径方向両側に延在するアーチ状部３１ｈ，３１ｈと、アーチ状部３１ｈ，３１ｈの径方向両端部の後面に形成された当接面３１ｍ，３１ｍ（図８（ａ）（ｃ）参照）と、当接面３１ｍ，３１ｍから後方に向けて突設された円筒固定部（固定部、図８（ｃ）参照）３１ｂ，３１ｂと、を備えている。
【００４６】
中央部３１ａは、図８（ａ）に示すように、前面視で略円形状を呈している。中央部３１ａは、図４（ａ）に示すように、操作部本体２０の支持部２６の溝部２６ａ内に挿入され、図５（ａ）（ｂ）に示すように、支持部２６に対して支持される。
アーチ状部３１ｈは、図８（ａ）に示すように、前面視で中央部３１ａ側から端部側に向かうに従って略テーパ状に拡幅している。アーチ状部３１ｈにおける中央部３１ａ側の近傍部分（細幅部分）は、操作部本体２０の支持部２６の溝部２６ａに支持されている。
アーチ状部３１ｈは、延在方向に沿う長溝３１ｊを備えている。また、アーチ状部３１ｈは、図８（ｃ）に示すように、後面に開口する肉抜き部３１ｇを備えている。肉抜き部３１ｇは円筒固定部３１ｂを径方向に挟んで両側に形成されている。
【００４７】
当接面３１ｍは、操作部本体２０の支持部２６の側方の装着面２１ｅに対向しており、図５（ａ）に示すように、装着面２１ｅに当接している。円筒固定部３１ｂは、操作部本体２０の基部２１の固定孔２１ａに対応して形成されており、固定孔２１ａを貫通して基部２１の後面に先端部が突出している。円筒固定部３１ｂの先端部は、固定孔２１ａの開口縁部に熱溶着される（不図示）。この熱溶着により、操作部本体２０にツマミ部３０が強固に固定される。
【００４８】
リング状部３２は、図８（ａ）に示すように、前面視で円形であり、指掛け部３１の両端部に連結されている。リング状部３２は、断面形状が比較的細く形成されており（図５（ｂ）参照）、後記する組付時に、ドラグノブ１０の軸方向に弾性変形可能となっている。リング状部３２は、図４（ａ）（ｃ）に示すように、操作部本体２０の上下の外面２０ｃおよび左右の外面２０ｂに沿って配置される。リング状部３２の内周部には、図６（ａ）に示すように、小径の第一内周面３２ａと、第一内周面３２ａに連続して第一内周面３２ａに直角に形成された環状の段差面３２ｂと、段差面３２ｂに連続して段差面３２ｂに直角に形成された大径の第二内周面３２ｃと、が形成されている。段差面３２ｂは、指掛け部３１の当接面３１ｍ（図８（ｃ）参照）と面一に形成されている。
本実施形態では、図６（ａ）に示すように、操作部本体２０の外周縁部に対するリング状部３２の組み付け構造が、操作部本体２０の前面側から組み付けられる（組み合わされる）インロー構造とされている。つまり、操作部本体２０に対してツマミ部３０がガタツキなく組み付けられるようになっている。
【００４９】
リング状部３２の周方向の中間部分（途中部分）となる上部および下部には、図８（ａ）（ｃ）（ｅ）に示すように、突部３５，３５が形成されている（図３参照）。突部３５は、操作部本体２０の係合部２５に対向配置されており、係合部２５に対して係合可能である。具体的に、突部３５は、図５（ｃ）に示すように、リング状部３２の内周面３２ａから径方向内側に突出形成されており、その先端部３５ａが係合部２５の第一面２５ａと第二面２５ｂとの隅部２５ｃに係合するように構成されている。突部３５の後面３５ｃは、先端部３５ａに向けて先細りとなるように傾斜している。
なお、突部３５は、先端部３５ａが隅部２５ｃに係合するものに限られることはなく、少なくとも突部３５の前端面３５ｂが係合部２５の第一面２５ａに当接するように構成されていればよい。
【００５０】
基部２１の小径の外面２０ｃは、図６（ｃ）に示すように、係合部２５の周方向に隣接する周縁凹部Ｓを形成している。周縁凹部Ｓは、図６（ｂ）に示すように、これに対向しているリング状部３２の第二内周面３２ｃとの間に、空間部を形成している。周縁凹部Ｓは、基部２１の外面２０ｃにリング状部３２を組み付ける際に、リング状部３２の弾性変形を許容するスペースとして機能する。つまり、周縁凹部Ｓが形成されていない場合に比べて、リング状部３２が弾性変形し易くなり、係合部２５に対する突部３５の係合操作が行い易くなっている。
【００５１】
次に、ドラグノブ１０の操作部本体２０にツマミ部３０を組み付ける際の手順について説明する。
はじめに、図９（ａ）（ｂ）に示すように、操作部本体２０の前面側からツマミ部３０を近づける。そして操作部本体２０の固定孔２１ａ（図７（ａ）参照）にツマミ部３０の円筒固定部３１ｂ（図８（ｄ）参照）を挿入しつつ、基部２１の支持部２６の側方の装着面２１ｅ，２１ｅ（図７（ａ）参照）に向けて指掛け部３１を前面側から押し付け、指掛け部３１の当接面３１ｍ，３１ｍ（図８（ｃ）参照）を装着面２１ｅ，２１ｅ（図７（ａ）参照）に当接させる。
【００５２】
このとき、指掛け部３１を押し付け操作することで、図９（ｃ）（ｄ）に示すように、リング状部３２の径方向の中間部分（突部３５およびその両側部分）が径方向外側に弾性変形し、突部３５が基部２１の外周面２１ｇに乗り上げる状態となる（図９（ｃ）参照）。そして、押し付け操作を続けることで、突部３５（先端部３５ａ）が基部２１の外周面２１ｇ上を係合部２５に向けて移動し、係合部２５へ突部３５が移動したところでリング状部３２が弾性復帰する。
【００５３】
これによって、図９（ｅ）（ｆ）に示すように、係合部２５に対して突部３５が係合する。係合した状態では、図５（ｃ）に示すように、基部２１の外周面２１ｇにリング状部３２の第一内周面３２ａが当接し、係合部２５の隅部２５ｃに突部３５の先端部３５ａが係合する。また、係合部２５の第一面２５ａには、突部３５の前端面３５ｂが当接している。つまり、インロー構造によるツマミ部３０の組付方向とは反対方向となる後方側から、第一面２５ａに対して突部３５の前端面３５ｂが当接して組み付けられる状態となる。
【００５４】
このような組み付けによって、図１０（ａ）に示すような、操作部本体２０の基部２１の外周縁部に対するリング状部３２の浮き上がり現象を生じることなく、図１０（ｂ）に示す状態、すなわち、操作部本体２０の基部２１の外周縁部に沿う状態に、ツマミ部３０のリング状部３２を配置することができる。
なお、円筒固定部３１ｂ（図４（ｂ）（ｃ）参照）の先端部を固定孔２１ａの開口縁部に熱溶着して、操作部本体２０にツマミ部３０を固定することで、操作部本体２０に対するツマミ部３０の組み付けが完了する。
【００５５】
以上説明した本実施形態の魚釣用スピニングリールによれば、リング状部３２の突部３５を操作部本体２０の係合部２５に係合させ、ツマミ部３０の指掛け部３１の円筒固定部３１ｂを操作部本体２０に熱溶着するだけで、操作部本体２０にツマミ部３０を組み付けることができるので、組付作業性に優れる。
【００５６】
また、突部３５を係合部２５に係合させることで操作部本体２０の外周縁部に沿う状態にリング状部３２を位置決め保持することができるので、操作部本体２０の外周縁部からリング状部３２が浮き上がる現象を好適に防止でき、意匠性を高めることができる。
【００５７】
また、リング状部３２の断面が比較的細い形状である場合にも、突部３５を係合部２５に係合させることによって、操作部本体２０の外周縁部に沿う状態にリング状部３２を位置決め保持することが可能となる。したがって意匠性をより高めることができる。また、リング状部３２がしっかりと位置決めされるので、操作部本体２０の外周縁部とリング状部３２の内周縁部との間に釣糸が挟み込まれる等の不具合が生じることも未然に防止できる。
【００５８】
また、操作部本体２０の外周縁部とリング状部３２の内周縁部との間に形成される周縁凹部Ｓを利用してリング状部３２を弾性変形させ、突部３５を係合部２５に容易に係合させることができるので、ドラグノブ１０の組立作業性に優れる。
【００５９】
また、操作部本体２０の外周縁部とリング状部３２の内周縁部とがインロー構造とされていることにより、ツマミ部３０を操作部本体２０に容易かつ確実に位置決めして組み付けることができるので、ドラグノブ１０の組立作業性に優れる。
また、突部３５は、基部２１の外周縁部を前側から後側に乗り越えて係合部２５に係合し、係合後は、突部３５がリング状部３２の前方への移動を防止するストッパとして機能する。これにより、操作部本体２０に対するリング状部３２の浮き上がりを好適に防止することができるので、意匠性を高めることができる。
【００６０】
以上、本発明の実施形態について説明したが、本発明は、上記した実施形態に限定されることはなく、種々変形することが可能である。
例えば、ツマミ部３０の固定部として、熱溶着により円筒固定部３１ｂが操作部本体２０に固定（係止）されるものを示したが、これに限られるものではなく、ねじ等による螺合を用いて固定されるものであってもよいし、フック構造等を用いて抜け止め不能に固定されるものであってもよい。
【００６１】
また、突部３５は、リング状部３２の上下部分に設けたものを示したが、これに限られることはなく、他の箇所に設けたり、設置箇所を増やしてもよい。突部３５の数を増やすことで、リング状部３２の位置ずれをより好適に防止できる。
【００６２】
また、係合部２５は、操作部本体２０の外周縁部に凹設されたものを示したが、これに限られることはなく、突部３５の受け面となる平らな面（第一面２５ａ）を単に備えるものであってもよい。
【００６３】
また、基部２１の外周面２１ｇとリング状部３２の第一内周面３２ａとが当接する構造（図５（ｃ）参照）としたが、これに限られることはなく、これらが隙間をもって対向するように構成してもよい。また、周縁凹部Ｓをさらに小径とすることによって、周縁凹部Ｓにより形成される空間部が操作部本体２０の前面側に露出（リング状部３２の内周縁部に沿ってリング状部３２の内側に露出）するように構成してもよい。
【符号の説明】
【００６４】
１      リール本体
５      スプール
９      スプール軸
１０    ドラグノブ
１１    押圧部
１５    圧縮コイルばね（ばね）
２０    操作部本体
２５    係合部
３０    ツマミ部
３１    指掛け部
３１ｂ  円筒係止部（係止部）
３２    リング状部
３５    突部
Ｓ      周縁凹部
【図１】
0006438870.tif 000002
【図２】
0006438870.tif 000003
【図３】
0006438870.tif 000004
【図４】
0006438870.tif 000005
【図５】
0006438870.tif 000006
【図６】
0006438870.tif 000007
【図７】
0006438870.tif 000008
【図８】
0006438870.tif 000009
【図９】
0006438870.tif 000010
【図１０】
0006438870.tif 000011